(57)【要約】【課題】  ビス等の取付部材を抹消できて部品点数を少なくでき、コストダウンを図れ、ローダーを筐体内にスライドするだけでローダーを筐体内に容易に取付けられる。【解決手段】  筐体１内におけるローダー２の横幅に対応した位置に、筐体の奥行き方向に向けて縦壁３が立設され、縦壁に奥行き方向に向けてガイド溝３ａが形成され、ガイド溝の奥端近傍箇所と底面１ａの端部近傍箇所に係入孔１ｂ、３ｂが設けられ、ローダーにおける筐体の縦壁のガイド溝に対応する箇所にガイド突部４が設けられ、筐体の各係入孔に対応する箇所に係入孔に係入係止されるフック５が設けられ、筐体の縦壁のガイド溝にローダーのガイド突部を挿入し、ガイド突部がガイド溝にガイドされながらローダーが筐体の奥部に向けて押入され、ローダーの各フックが筐体の各係入孔に係入係止されることによってローダーが筐体内に取り付けられる。【選択図】  図１
2007102945.tif 000002
【特許請求の範囲】
【請求項１】
筐体内にローダーを取付けるようにした筐体へのローダーの取付構造において、前記筐体内における前記ローダーの横幅に対応した横幅位置に、筐体の端部から奥行き方向に向けて縦壁が立設され、前記縦壁に端部から奥行き方向に向けてガイド溝が形成され、このガイド溝の奥端近傍箇所と底面の端部近傍箇所に係入孔が設けられ、前記ローダーの両側面における前記筐体の縦壁のガイド溝に対応する箇所に端部に頭部を有するガイド突部が設けられると共に、前記筐体の各係入孔に対応する箇所にこれらの係入孔に係入係止されるフックが設けられており、前記ローダーを前記筐体内に取付ける際に、前記筐体の縦壁のガイド溝に前記ローダーのガイド突部を挿入し、このガイド突部が前記ガイド溝にガイドされながら前記ローダーが前記筐体の奥部に向けて押入され、前記筐体内に前記ローダーが設置される箇所で前記ローダーの各フックが前記筐体の各係入孔に係入係止されることによって前記ローダーが前記筐体内に取り付けられるように構成したことを特徴とする筐体へのローダーの取付構造。
【請求項２】
筐体内にローダーを取付けるようにした筐体へのローダーの取付構造において、前記筐体の縦壁に端部から奥行き方向に向けてガイド溝が形成されると共に、この縦壁及び／又は底面に係入孔が形成され、前記ローダーの両側面における前記筐体の縦壁のガイド溝に対応する箇所にガイド突部が設けられると共に、前記筐体の係入孔に対応する箇所にフックが設けられており、前記ローダーを前記筐体内に取付ける際に、前記筐体の縦壁のガイド溝に前記ローダーのガイド突部を挿入し、このガイド突部が前記ガイド溝にガイドされながら前記ローダーが前記筐体の奥部に向けて挿入され、前記筐体内に前記ローダーが設置される箇所で前記ローダーのフックが前記筐体の係入孔に係入係止されることによって前記ローダーが前記筐体内に取り付けられるように構成したことを特徴とする筐体へのローダーの取付構造。
【請求項３】
前記ローダーのガイド突部が外側に向けて広がる正面視略台形状に形成されており、この正面視略台形状のガイド突部が前記筐体の縦壁のガイド溝に抜け止め状態で挿入され、ガイド溝に沿って前記筐体の奥部に向けてガイド移動されるように構成した請求項２に記載の筐体へのローダーの取付構造。
【発明の詳細な説明】
【技術分野】
【０００１】
本発明は、筐体内にローダーを取付けるようにした筐体へのローダーの取付構造に関するものである。
【背景技術】
【０００２】
従来、筐体内にトレイ等のローダーを取付けるには、筐体内にローダーを設置した後に、このローダーを複数のビスによって筐体内に取付けるようにしていた。ところが、このようにビスによって筐体内に取付けるものでは、複数本のビスを必要とし、部品点数が多くなりコスト高になるという問題があった。更に、ビスで取付ける作業が手間がかかり、作業能率が悪いという問題があった。しかも、ローダーを筐体内から取り外すには、複数本のビスを全て取り除く必要があり、この作業が面倒であるという問題があった。
【０００３】
第１の従来技術を図６、図７、図８（ａ）（ｂ）に示す。この従来の電子機器の振動緩衝装置は、図６、図７、図８（ａ）（ｂ）に示すように、電子機器の外部筐体１０２及び外部筐体１０２に保持される内部筐体１０４間に介挿される振動緩衝装置において、外部筐体１０２に植立形成され、先端部に爪形状の係止手段１３６を有する係合突起１３１と、弾性材料でなり、内部筐体１０４に支持されると共に、係合突起１３１を挿入する貫通孔１１２Ａを有し、貫通孔１１２Ａに係合突起１３１を挿入することにより係止手段１３６によって外部筐体１０２に係止される緩衝手段１１２とを具え、緩衝手段１１２を介して外部筐体１０２に内部筐体１０４を保持させるようにしたものである。（例えば、特許文献１参照）。
【０００４】
ところが、これにおいては、緩衝手段１１２を必要とするために、部品点数が多くなり、コスト高になると共に、構造が複雑になるという問題があった。また、これはスライドして外部筐体１０２に内部筐体１０４を取付けるものではなかった。
【特許文献１】特開平７−４５０５８号公報
【発明の開示】
【発明が解決しようとする課題】
【０００５】
本発明は、上記従来の問題に鑑みてなされたものであって、ビス等の取付部材を抹消することができて部品点数を少なくすることができ、コストダウンを図れ、しかもローダーを筐体内にスライドして挿入するだけでローダーを筐体内に容易に取付けることができ、更に、筐体内からローダーを容易に取り外すことができる筐体へのローダーの取付構造を提供することを目的としている。
【課題を解決するための手段】
【０００６】
本発明は、上記課題を解決するために提案されたものであって、請求項１に記載の発明は、筐体内にローダーを取付けるようにした筐体へのローダーの取付構造において、前記筐体内における前記ローダーの横幅に対応した横幅位置に、筐体の端部から奥行き方向に向けて縦壁が立設され、前記縦壁に端部から奥行き方向に向けてガイド溝が形成され、このガイド溝の奥端近傍箇所と底面の端部近傍箇所に係入孔が設けられ、前記ローダーの両側面における前記筐体の縦壁のガイド溝に対応する箇所に端部に頭部を有するガイド突部が設けられると共に、前記筐体の各係入孔に対応する箇所にこれらの係入孔に係入係止されるフックが設けられており、前記ローダーを前記筐体内に取付ける際に、前記筐体の縦壁のガイド溝に前記ローダーのガイド突部を挿入し、このガイド突部が前記ガイド溝にガイドされながら前記ローダーが前記筐体の奥部に向けて押入され、前記筐体内に前記ローダーが設置される箇所で前記ローダーの各フックが前記筐体の各係入孔に係入係止されることによって前記ローダーが前記筐体内に取り付けられるように構成したことを特徴としている。
【０００７】
請求項２に記載の発明は、筐体内にローダーを取付けるようにした筐体へのローダーの取付構造において、前記筐体の縦壁に端部から奥行き方向に向けてガイド溝が形成されると共に、この縦壁及び／又は底面に係入孔が形成され、前記ローダーの両側面における前記筐体の縦壁のガイド溝に対応する箇所にガイド突部が設けられると共に、前記筐体の係入孔に対応する箇所にフックが設けられており、前記ローダーを前記筐体内に取付ける際に、前記筐体の縦壁のガイド溝に前記ローダーのガイド突部を挿入し、このガイド突部が前記ガイド溝にガイドされながら前記ローダーが前記筐体の奥部に向けて挿入され、前記筐体内に前記ローダーが設置される箇所で前記ローダーのフックが前記筐体の係入孔に係入係止されることによって前記ローダーが前記筐体内に取り付けられるように構成したことを特徴としている。
【０００８】
請求項３に記載の発明は、請求項２に記載の発明において、前記ローダーのガイド突部が外側に向けて広がる正面視略台形状に形成されており、この正面視略台形状のガイド突部が前記筐体の縦壁のガイド溝に抜け止め状態で挿入され、ガイド溝に沿って前記筐体の奥部に向けてガイド移動されるように構成した。
【発明の効果】
【０００９】
請求項１に記載の発明によれば、ローダーのガイド突部を筐体の縦壁のガイド溝に挿入してスライドさせるだけで、ローダーを位置決めした状態で筐体内の所定の位置に配置できる。しかも、筐体の係入孔にローダーのフックを係入係止するだけで容易にローダーを筐体内に取り付けることができる。ローダーを取り外すときは、ローダーのフックを筐体の係入孔から外し、ローダーを外側に向けてスライドするだけで容易に取り外すことができる。このように、ビス等の取付部材を抹消することができて部品点数を少なくすることができ、コストダウンを図れる。しかも、筐体の縦壁のガイド溝に挿入するローダーのガイド突部には頭部が設けられているから、この頭部によってガイド突部がガイド溝から外れることを防止できる。また、筐体には縦壁と底面に係入孔が設けられ、これらの係入孔にローダーの複数のフックを係入係止するから、ローダーを筐体に強固に取り付けることができる。
【００１０】
請求項２に記載の発明によれば、ローダーのガイド突部を筐体の縦壁のガイド溝に挿入してスライドさせるだけで、ローダーを位置決めした状態で筐体内の所定の位置に配置できる。しかも、筐体の係入孔にローダーのフックを係入係止するだけで容易にローダーを筐体内に取り付けることができる。ローダーを取り外すときは、ローダーのフックを筐体の係入孔から外し、ローダーを外側に向けてスライドするだけで容易に取り外すことができる。このように、ビス等の取付部材を抹消することができて部品点数を少なくすることができ、コストダウンを図れる。
【００１１】
請求項３に記載の発明によれば、ローダーのガイド突部が外側に向けて広がる正面視略台形状に形成されているから、このガイド突部を筐体の縦壁のガイド溝に挿入したときに、このガイド突部がガイド溝から外れることを防止することができる。
【発明を実施するための最良の形態】
【００１２】
以下、本発明に係る筐体へのローダーの取付構造の実施の形態について、図を参照しつつ説明する。
【００１３】
図１は本発明の筐体へのローダーの取付構造の第１実施形態を示す分解斜視図、図２は同構造の筐体にローダーを取り付けた状態を示す斜視図、図３は同構造の筐体の係入孔にローダーのフックを係入係止した状態の要部の部分断面図である。
【００１４】
この第１実施形態の筐体へのローダーの取付構造は、図１に示すように、前方が開放された筐体１内におけるトレイ等のローダー２の横幅に対応した横幅位置の両側に、筐体１の端部から奥行き方向に向けて縦壁３、３が立設されている。これらの縦壁３、３に端部から奥行き方向に向けてガイド溝３ａが形成され、このガイド溝３ａの奥端近傍箇所と底面１ａに係入孔１ｂ、３ｂ、３ｂが設けられている。ローダー２の両側面における筐体１の縦壁３、３のガイド溝３ａに対応する箇所に、端部に頭部４ａを有するガイド突部４が設けられている。更に、ローダー２における筐体１の各係入孔１ｂ、３ｂに対応する箇所である両側面と下面にフック５がそれぞれ設けられている。
【００１５】
図２に示すように、ローダー２を筐体１内に取り付ける際に、ローダー２の両側面のガイド突部４を筐体１の縦壁３、３のガイド溝３ａに挿入し筐体１の奥部に向けてスライドさせる。筐体１内にローダー２が設置された箇所でローダー２の各フック５が筐体１の縦壁３、３と底面１ａの各係入孔１ｂ、３ｂに係入係止される。その後、筐体１の前端にフロントカバー６がはめ込められ、このフロントカバー６でローダー２が固定される。
【００１６】
この第１実施形態によれば、ローダー２のガイド突部４を筐体１の縦壁３、３のガイド溝３ａに挿入してスライドさせるだけで、ローダー２を位置決めした状態で筐体１内の所定の位置に配置できる。しかも、筐体１の係入孔１ｂ、３ｂにローダー２のフック５を係入係止するだけで容易にローダー２を筐体１内に取り付けることができる。ローダー２を取り外すときは、ローダー２のフック５を筐体１の内側に押し込んで筐体１の係入孔１ｂ、３ｂから外し、ローダー２を外側に向けてスライドするだけで容易に取り外すことができる。このように、ビス等の取付部材を抹消することができて部品点数を少なくすることができ、コストダウンを図れる。しかも、筐体１の縦壁３、３のガイド溝３ａに挿入するローダー２のガイド突部４には頭部４ａが設けられているから、この頭部４ａによってガイド突部４がガイド溝３ａから外れることを防止できる。また、筐体１には縦壁３、３と底面に係入孔１ｂ、３ｂが設けられ、これらの係入孔１ｂ、３ｂにローダー２の複数のフック５を係入係止するから、ローダー２を筐体１に強固に取り付けることができる。また、筐体１の前端にフロントカバー６が嵌めこまれるので、このフロントカバー６でローダー２を固定できる利点がある。
【００１７】
図４は第２実施形態の筐体へのローダーの取付構造を示す分解斜視図、図５は同構造の筐体の縦壁のガイド溝にローダーのガイド突部を挿入した状態の要部の部分断面図である。尚、上記した第１実施形態と同一部材、同一箇所には同一符号を付してその説明を省略する。
【００１８】
この第２実施形態の筐体へのローダーの取付構造は、図４、図５に示すように、ローダー２の両側面に外側に向けて広がる正面視略台形状のガイド突部４Ａ、４Ａが形成されている。このガイド突部４Ａ、４Ａが筐体１の縦壁３、３のガイド溝３ａ、３ａに抜け止め状態で挿入され、奥側に向けてスライドされる。従って、この第２実施形態によれば、ローダーのガイド突部が外側に向けて広がる正面視略台形状に形成されているから、このガイド突部４Ａ、４Ａを筐体１の縦壁３、３のガイド溝３ａ、３ａに挿入したときに、このガイド突部４Ａ、４Ａがガイド溝３ａ、３ａから外れることを防止することができる。
【図面の簡単な説明】
【００１９】
【図１】本発明の筐体へのローダーの取付構造の第１実施形態を示す分解斜視図である。
【図２】同構造の筐体にローダーを取り付けた状態を示す斜視図である。
【図３】同構造の筐体の係入孔にローダーのフックを係入係止した状態の要部の部分断面図である。
【図４】第２実施形態の筐体へのローダーの取付構造を示す分解斜視図である。
【図５】同構造の筐体の縦壁のガイド溝にローダーのガイド突部を挿入した状態の要部の部分断面図である。
【図６】従来の電子機器の振動緩衝装置の分解斜視図である。
【図７】同装置の要部の部分拡大斜視図である。
【図８】同装置の筐体に対するデッキ部の取り付け状態を示し、（ａ）は取り付け途中の状態を示す縦断面図、（ｂ）は取り付け完了時の状態を示す縦断面図である。
【符号の説明】
【００２０】
１        筐体
１ａ      底面
１ｂ      係入孔
２        ローダー
３        縦壁
３ａ      ガイド溝
３ｂ      係入孔
４        ガイド突部
４Ａ      正面視略台形状のガイド突部
４ａ      頭部
５        フック
６        フロントカバー
【図１】
2007102945.tif 000003
【図２】
2007102945.tif 000004
【図３】
2007102945.tif 000005
【図４】
2007102945.tif 000006
【図５】
2007102945.tif 000007
【図６】
2007102945.tif 000008
【図７】
2007102945.tif 000009
【図８】
2007102945.tif 000010